(57)【要約】      （修正有）【課題】高度なＣＲ機能を備える電池式ライターを提供する。【解決手段】電熱部２は、ケース蓋を親指による操作でスライドさせてケース本体１ａの開放面より外部に露出するだけでは電池部３より発熱ヒータ２ａに給電不能で、ケース蓋１ｂを親指による操作でスライドさせてケース本体１ａの開放面より外部に露出すると共に、ケース蓋１ｂの板面を親指による押圧で撓み変形すると、スイッチ部４ａ，４ｂを突片で作動させて電池部３より発熱ヒータ２ａに給電可能に組み付けた。【選択図】図１
0003179246.tif 000002
【実用新案登録請求の範囲】
【請求項１】
手のひらに載せて人差し指と親指で把持可能な扁平函型の外装ケースを備え、タバコ等の被着火物に火を付ける発熱ヒータによる電熱部と、電力を該電熱部に給電する電池部と、前記電熱部と電池部との間に介在するスイッチ部とを互いに回路接続させて回路基板に搭載し、前記回路基板を含む部品全体を外装ケースの内部に収容する電池式ライターにおいて、
前記外装ケースは、前記電熱部をケースの開放面より外部に露出可能に配置させて前記回路基板を含む部品全体を内部に組み付けるケース本体と、該ケース本体の開放面を覆うと共に、前記電熱部をケース本体の開放面より外部に露出するよう親指による操作でスライド可能なケース蓋からなり、
前記ケース蓋は、前記親指による押圧で板面を撓み変形可能な平板状で、前記スイッチ部と当接可能な突片を蓋内面に設けてなり、
前記電熱部は、前記ケース蓋を親指による操作でスライドさせてケース本体の開放面より外部に露出するだけでは電池部より発熱ヒータに給電不能で、前記ケース蓋を親指による操作でスライドさせてケース本体の開放面より外部に露出すると共に、前記ケース蓋の板面を親指による押圧で撓み変形すると、前記スイッチ部を突片で作動させて電池部より発熱ヒータに給電可能に組み付けてなることを特徴とする電池式ライター。
【請求項２】
前記電池部は、外装ケースより出し入れ可能なＵＳＢ入力コネクタを有する充電式電池として備え付けられていることを特徴とする請求項１に記載の電池式ライター。
【考案の詳細な説明】
【技術分野】
【０００１】
本考案は、タバコ，線香，ロウソク等の被着火物を対象とし、ＣＲ（Ｃｈｉｌｄ  Ｒｅｓｉｓｔａｎｃｅ）機能を備える電池式ライターに関する。
【背景技術】
【０００２】
従来、電池式ライターとしては、手のひらに載せて人差し指と親指で把持可能な扁平函型の外装ケースを備え、発熱ヒータによる電熱部と、電源用の電池と、電熱部への給電を開閉する電源スイッチを外装ケースの内部に収容し、電熱部が臨む位置に開孔された着火窓を外装ケースの平面に設け、電源スイッチを作動する押圧ボタンを外装ケースの平面に備えると共に、スライド板を外装ケースの内側に備え、スライド板を動かす操作ボタンを外装ケースの平面に備え、スライド板により着火窓を開閉し、また、押圧ボタンを押込み可能乃至は押込み不能に切り換えられるよう構成したものが知られている（特許文献１）。
【０００３】
その電池式ライターにおいては、外装ケースの内側に備えるスライド板と、外装ケースの平面に備える親指によるスライド板の操作ボタンにより、着火窓を開閉し、また、押圧ボタンの押込み可能乃至は押込み不能に構成することにより、ＣＲ機能が付与されている。然し、電源スイッチを親指による押圧で作動する押圧ボタンと、親指によるスライド板の操作ボタンを外装ケースの平面に露出させて設けるため、ＣＲ機能としては未だ十分なものとはいえない。
【０００４】
上述した電池式ライターの他に、扁平函型の外装ケースを備え、外装ケースの開孔窓より外部に露出する発熱ヒータによる電熱部と、電熱部に給電する電池部と、電熱部への給電を開閉するスイッチ部を外装ケースの内部に収容し、スイッチ部を操作するスイッチノブと、スイッチ部の操作不能乃至は解除用のロック機構を外装ケースの外部に露出させて設けるものが提案されている（特許文献２）。
【０００５】
その電池式ライターにおいても、スイッチ部を操作するスイッチノブと、電源スイッチの操作不能乃至は解除用のロック機構を外装ケースの外部に露出させて備えるため、上述したと同様に、ＣＲ機能としては未だ十分なものとはいえない。
【先行技術文献】
【特許文献】
【０００６】
【特許文献１】特許第４２６３０５９号
【特許文献２】実用新案登録第３１６１９９９号
【考案の概要】
【考案が解決しようとする課題】
【０００７】
本考案は、高度なＣＲ機能を備える電池式ライターを提供することを主たる目的とする。
【０００８】
本考案は、充電式電池を備えて繰返し使用可能な電池式ライターを提供することを目的とする。
【課題を解決するための手段】
【０００９】
本考案は、手のひらに載せて人差し指と親指で把持可能な扁平函型の外装ケースを備え、タバコ等の被着火物に火を付ける発熱ヒータによる電熱部と、電力を電熱部に給電する電池部と、電熱部と電池部との間に介在するスイッチ部を互いに回路接続させて回路基板に搭載し、回路基板を含む部品全体を外装ケースの内部に収容する電池式ライターに係る。
【００１０】
外装ケースは、電熱部をケースの開放面より外部に露出可能に配置させて回路基板を含む部品全体を内部に組み付けるケース本体と、ケース本体の開放面を覆うと共に、電熱部をケース本体の開放面より外部に露出するよう親指による操作でスライド可能なケース蓋から構成されている。
【００１１】
ケース蓋は、親指による押圧で板面を撓み変形可能な平板状で、スイッチ部と当接可能な突片を蓋内面に設けてなり、
電熱部は、ケース蓋を親指による操作でスライドさせてケース本体の開放面より外部に露出するだけでは電池部より発熱ヒータに給電不能で、ケース蓋を親指による操作でスライドさせてケース本体の開放面より外部に露出すると共に、ケース蓋の板面を親指による押圧で撓み変形すると、スイッチ部を突片で作動させて電池部より発熱ヒータに給電可能に組み付けて構成されている。
【００１２】
電池部は、外装ケースより出し入れ可能なＵＳＢ入力コネクタを有する充電式電池として備え付けられている。
【考案の効果】
【００１３】
本考案によれば、回路基板を含む部品全体を外装ケースの内部に収容すると共に、親指による押圧で撓み変形可能なケース蓋を備え、電池部のスイッチ部と当接可能な突片をケース蓋の蓋内面に設けることにより、発熱ヒータによる電熱部を含む部品全体は勿論、スイッチ部を作動する突片も外装ケースの外部に露出しない。
【００１４】
それに加えて、ケース蓋を親指による操作でスライドさせて電熱部をケース本体の開放面より外部に露出するだけでは電池部より発熱ヒータに給電不能で、ケース蓋を親指による操作でスライドさせてケース本体の開放面より外部に露出すると共に、ケース蓋の板面を親指による押圧で撓み変形すると、スイッチ部をケース蓋の突片で作動させて電池部より発熱ヒータに給電可能に構成されているため、着火操作を容易に行えることは勿論、良好なＣＲ機能を付与できる。
【００１５】
電池部は、外装ケースより出し入れ可能なＵＳＢ入力コネクタを有する充電式電池として備え付けるため、繰返し使用可能な電池式ライターとして構成できる。
【図面の簡単な説明】
【００１６】
【図１】本考案に係る電池式ライターをケース蓋の取外し状態で示す平面図である。
【図２】図１の電池式ライターに備えるケース蓋を示す側面図である。
【図３】図２のケース蓋を内面側より示す平面図である。
【図４】図２のケース蓋を備えた電池式ライターを示す端面図である。
【図５】同電池式ライターを示す底面図である。
【図６】同電池式ライターのケース蓋をスライドさせた状態で示す平面図である。
【図７】同電池式ライターのスイッチ作動状態を示す断面図である。
【考案を実施するための形態】
【００１７】
図示実施の形態は、手のひらに載せて人差し指と親指で把持可能な扁平で縦長函型の外装ケース１を備えて構成されている。外装ケース１は、図１で示すような着火に要する全部品を収容する平面の開放されたケース本体１ａと、図２で示すようなケース本体１ａの開放面を開閉するようケース本体１の長手方向に沿ってスライド可能なケース蓋１ｂとから組み立てられている。ケース本体１ａ，ケース蓋１ｂは、いずれも樹脂成形されている。
【００１８】
説明の便宜上、図１で示すケース本体１ａを基準に、ケース本体１ａの左右を「左，右側辺」、ケース本体１ａの上下を「上，下端辺」、着火に要する部品を実装した回路基板を挿置するケース本体１ａの開放側を「平面」、着火に要する部品を実装した回路基板を載置するケース本体１ａの板面側を「底面」という。
【００１９】
タバコ等の被着火物に火を付けるニクロム線等の発熱ヒータ２ａによる電熱部２と、電力を電熱部２に給電するリチウム電池等の電池部３と、電熱部２と電池部３との間に介在するスイッチ部４ａ，４ｂを互いに回路接続させて回路基板５に搭載することにより、回路基板５を含む部品全体がケース本体１ａの内部に収容されている。
【００２０】
電熱部２は、発熱ヒータ２ａを耐熱性樹脂の基台２ｂで保持すると共に、発熱ヒータ２ａを露出する開孔窓２ｃを設けた金属カバー２ｄで覆って組み立てられている。基台２ｂは、ビス２ｅ，２ｆをケース本体１ａの底面に設けたビス受け（図示せず）にねじ込むことによりケース本体１ａの内部にビス止め固定されている。基台２ｂには、後述するケース蓋１ｂの復帰位置を規制する張出し片２ｇが設けられている。
【００２１】
電池部３は、電熱部２の配置位置より離間するケース本体１ａの下端辺より出し入れ可能なＵＳＢ入力コネクタ６（図１中、充電時の引出し状態で示す。）を有する充電式電池として備え付けられている。ＵＳＢ入力コネクタ６は、＋，−端子６ａ，６ｂを設けた回路基板６ｃを一体に備え、＋，−端子６ａ，６ｂを電池部３とリード線６ｄ，６ｅで接続することにより電池部３に給電可能に取り付けられている。
【００２２】
スイッチ部４ａ，４ｂは、電池部３を介して両側に配置させて２つ備えられている。このスイッチ部４ａ，４ｂは、いずれか１つでも作動させれば、電池部３より電熱部２の発熱ヒータ２ａに給電可能で、或いは、２個を同時に作動させないと、電池部３より電熱部２の発熱ヒータ２ａに給電不能に回路接続することができる。
【００２３】
ＵＳＢ入力コネクタ６は、絶縁性樹脂のガイド枠６ｆでケース本体１ａの下端辺より出し入れ可能に保持されている。ガイド枠６ｆは、ビス６ｇ，６ｈをケース本体１ａの底面に設けたビス受け（図示せず）にねじ込むことによりケース本体１ａの内部にビス止め固定されている。
【００２４】
ケース蓋１ｂは、図２並びに図３で示すようにケース本体１ａの内側に位置する内蓋１ｃでスライド可能に保持されている。ケース蓋１ｂの内面には、左右の側辺縁より立ち上って内蓋１ｂの面内に亘るＬ字状のガイド爪１０ａ．１０ｂ、１１ａ，１１ｂが左右対に設けられている。ガイド爪１１ａ，１１ｂには、先端寄りからケース本体１ａの内部に向けて立ち上がり、スイッチ部４ａ，４ｂとケース蓋１ｂのスライド位置で当接可能な左右対の突片１２ａ，１２ｂが設けられている。
【００２５】
ケース蓋１ｂには、スライド位置から定位置に復帰させるに、ケース本体１ａの内部に備えられた引張りスプリング７（図１参照）の片バネ端を掛け止めるフック爪１３が左側辺の上端寄りに設けられている。このフック爪１３は、ケース蓋１ｂの復帰位置を規制するに、内蓋１ｃの一部に設けた張出し辺１４と当接する突起を兼ねて設けられている。その他に、後述する発光素子の光を透過する薄肉な透光窓１５が右側辺の上端寄りに設けられている。
【００２６】
内蓋１ｃは、ケース本体１ａの電熱部２に被らない相対的に短い縦長の扁平な薄板状に形成されている。内蓋１ｃには、下端辺より外向きＬ字状に立ち上る掛止め片１６ａ，１６ｂが設けられている。この掛止め片１６ａ，１６ｂは、先端側を後述するケース本体１ａの下端辺に設ける抜き穴に嵌め込むことにより、内蓋１ｃを移動不能に固定するよう設けられている。
【００２７】
内蓋１ｃには、ケース蓋１ｂのスライド位置で板面を容易に撓み変形し得るよう、所定の間隔を隔てて弯曲部を相対するＵ字状のスリット部１７ａ，１７ｂ、１７ｃ，１７ｄが略中腹で左右、上下に並べて設けられている。その他に、ケース蓋１ｂに設けた発光素子の透光窓１５に相応する切欠き窓１８が右側辺の上端寄りに設けられている。
【００２８】
ケース本体１ａの下端辺には、図４で示すようにＵＳＢ入力コネクタ６を出し入れ可能な横長な四辺形の抜き穴１９が設けられている。また、上述した内蓋１ｃの掛止め片１５ａ，１５ｂを嵌め込む抜き穴２０ａ，２０ｂも設けられている。ケース本体１ａの各側辺には、開放側に立ち上るガイド縁２１ａ，２１ｂが設けられている。ケース蓋１ｂは、ケース本体１ａのガイド縁２１ａ，２１ｂでスライド案内可能に嵌り合っている。なお、内蓋１ｃはガイド縁２１ａ，２１ｂよりケース本体１ａの内側に位置する。
【００２９】
ケース本体１ａの外底面には、横長な窪み部２２が人差し指の位置決め用として設けられている。また、ＵＳＢ入力コネクタ６の操作ボタン２３がケース本体１ａの底面に設けた縦長穴２４より突出するよう設けられている。操作ボタン２３は、縦長穴２４の穴内で上下に移動可能に組み付けられている。また、操作ボタン２３はケース本体１ａの内側でスライド可能な縦長穴２４の遮蔽片２５を上下に有し、この遮蔽片２５がＵＳＢ入力コネクタ６の回路基板６ｃと一体に取り付けられている。
【００３０】
このように構成する電池式ライターにおいては、発熱ヒータ２ａによる電熱部２、スイッチ部４ａ，４ｂを含む部品全体は勿論、スイッチ部４ａ，４ｂを作動する突片１２ａ，１２ｂも外装ケース１の内部に位置することによりいずれも外部に露出していない。
【００３１】
図６で示すようにケース蓋１ｂを親指による操作で矢印Ｘ方向にスライドさせると、電熱部２がケース本体１ａの開放面より外部に露出する。但し、そのケース蓋１ｂをスライドするだけでは電池部３より発熱ヒータ２ａに給電不能で、電熱部２は発熱しない。
【００３２】
ケース蓋１ｂを親指による操作でスライドさせて電熱部２をケース本体１ａの開放面より外部に露出すると共に、図７で示すようにケース蓋１ｂの板面を親指による押圧Ｐで多少撓み変形すると、スイッチ部４ａ，４ｂをケース蓋１ｂの突片１２ａ，１２ｂで押圧することで電池部３より発熱ヒータ２ａに給電し得るよう構成されている。これにより、着火操作を容易に行えると共に、幼年者には操作方法を容易に理解できないことから、良好なＣＲ機能を付与できる。
【００３３】
ケース蓋１ｂのスライド位置では、ケース蓋１ｂの内面に設けた突片１２ａ，１２ｂとスイッチ部４ａ，４ｂが相対位置し、親指がスイッチ部４ａ，４ｂのボタン部位に位置する。これにより、ケース蓋１ｂを親指で多少押圧すれば、突片１２ａ，１２ｂがスイッチ部４ａ，４ｂと当接し、スイッチ部４ａ，４ｂが作動し、電池部３より発熱ヒータ２ａに給電できる。着火後は、ケース蓋１ｂより親指を外せば、ケース蓋１ｂは電熱部２を閉鎖するよう引張りスプリング７で元の位置に復帰する。
【００３４】
この電池式ライターにおいては、スイッチ部４ａ，４ｂを備える回路基板５の同一面に、発光ダイオード等の発光素子２５（図１参照）を装着し、着火制御用ＩＣ（図示せず）等を回路基板５の反対面に表面実装することにより、発光素子２５は発熱ヒータ２ａの作動中に点灯し、発熱ヒータ２ａの作動停止時に点滅するよう回路接続できる。その発光素子２５を備えては、発熱ヒータ２ａの作動を確実に認知でき、また、電池部３の充電中点灯し、充電後消灯し、蓄電容量の低減時に点滅するよう回路接続できる。
【００３５】
電熱部２は、着火制御用ＩＣ等を実装する回路基板５の同一面側に、所定容量のコンデンサ（図示せず）を装備すれば、発熱ヒータ２ａの作動後数秒間で給電停止可能に回路構成するようにもできる。これにより、火をタバコ等の被着火物に付けるに要する時間以上通電しないようにできるから、電力の無駄な消耗を防げて安全対策も図れる。
【００３６】
上述した実施の形態は、主に、火をタバコ等の被着火物に付ける場合に基づいて説明したが、線香束，ロウソク等の被着火物を対象とするようにもできる。
【符号の説明】
【００３７】
１          外装ケース
１ａ        ケース本体
１ｂ        ケース蓋
２          電熱部
２ａ        発熱ヒータ
３          電池部
４ａ，４ｂ  スイッチ部
５          回路基板
６          ＵＳＢ入力コネクタ
１２ａ，１２ｂ  スイッチ作動用突片
【図１】
0003179246.tif 000003
【図２】
0003179246.tif 000004
【図３】
0003179246.tif 000005
【図４】
0003179246.tif 000006
【図５】
0003179246.tif 000007
【図６】
0003179246.tif 000008
【図７】
0003179246.tif 000009